(57)【要約】【課題】  シャワーモードからミストモードへの切換えを自動化でき、手動による複雑な切換操作を不要とし、そのうえ異なる２種類の入浴環境を簡便且つ安価につくりだす。【解決手段】  湯水が供給される切換え手段の下流側にそれぞれ吐水口を有する複数の分岐水路３を接続すると共に、切換え手段の切換えで複数の分岐水路３のうち任意の分岐水路３に選択的に湯水を流す湯水供給装置４である。複数の分岐水路３は、複数のシャワー用吐水口２ａを有するシャワー用分岐水路３ａと複数のミスト用吐水口２ｅを有するミスト用分岐水路３ｅとを少なくとも備えている。切換え手段は、最初に湯水をシャワー用分岐水路３ａに供給するシャワーモードとし且つ一定時間経過後に湯水をシャワー用分岐水路３ａからミスト用分岐水路３ｅに自動的に切換えてミストモードにする自動切換機能を有する。【選択図】        図１
2006346360.tif 000002
【特許請求の範囲】
【請求項１】
湯水が供給される切換え手段の下流側にそれぞれ吐水口を有する複数の分岐水路を接続すると共に、切換え手段の切換えで複数の分岐水路のうち任意の分岐水路に選択的に湯水を流すようにした湯水供給装置において、前記複数の分岐水路は複数のシャワー用吐水口を有するシャワー用分岐水路と複数のミスト用吐水口を有するミスト用分岐水路とを少なくとも備えており、前記切換え手段は、最初に湯水をシャワー用分岐水路に供給するシャワーモードとし且つ一定時間経過後に湯水をシャワー用分岐水路からミスト用分岐水路に自動的に切換えてミストモードにする自動切換機能を備えていることを特徴とする湯水供給装置。
【請求項２】
前記シャワーモードからミストモードへの切換えに連動して、湯温をシャワー運転時よりも高い所定温度まで上昇させるための湯温調整手段を備えていることを特徴とする請求項１記載の湯水供給装置。
【請求項３】
前記シャワーモードからミストモードへの切換えに連動して、湯温をシャワー運転時の湯温よりも低い所定温度まで低下させるための湯温調整手段を備えていることを特徴とする請求項１記載の湯水供給装置。
【請求項４】
前記シャワーモードからミストモードへの切換えに連動して、最初に湯温をシャワー運転時よりも高い所定温度まで上昇させ且つ一定時間経過後に湯温をシャワー運転時の湯温よりも低い所定温度まで低下させるための湯温調整手段を備えていることを特徴とする請求項１記載の湯水供給装置。
【発明の詳細な説明】
【技術分野】
【０００１】
本発明は、湯水供給装置に関し、詳しくはシャワーモードからミストモードに自動的に切換えるようにする自動切換機能を有する湯水供給装置に関するものである。
【背景技術】
【０００２】
従来から、複数種類の吐水口を備えたシャワー装置であるシャワー装置が知られている（例えば、特許文献１参照）。このシャワー装置は図７に示すようなもので、正面中央に鏡４０を設置した収納ユニット４１の両側部にシャワー用吐水口４２である複数のシャワー吐水口を備えたアーム４３を垂直な回転軸を介して横方向に回転するように設置し、また、収納ユニット４１の一側方には収納棚４５を設置し、他方には通常のハンドシャワー４６を設置し、更に、収納ユニット４１の下方に洗い場用吐水口４７を有する水栓を備えたカウンターを設置すると共に、洗い場用吐水口４７の下方に洗面器を載置する可倒式の洗面器台４８を設置した構成となっており、着座してシャワー浴を行うときは洗面器台４８を倒した状態で、収納ユニット４１の前に置いた椅子に着座してシャワーを浴びるものである。また、洗面等の洗面器を使用する入浴作業を行う時は洗面器台４８を起こし、その上に洗面器を載置して入浴作業を行うようになっている。更に、通常のハンドシャワー４６を使用する時はハンドシャワー４６のシャワーヘッドを手に持ってシャワー浴等を行うようになっている。
【０００３】
図８には前記従来例の配管ブロック図であり、図中５０は水を供給する給水管、５１は湯を供給する給湯管であり、５２は給水管５０、給湯管５１からの水と湯を混合する温度調節ハンドル５３を備えたサーモバルブであり、図８の従来例ではサーモバルブ５２で混合した湯水を止水弁５４を介してシャワー用吐水口４２に供給するようにし、また、サーモバルブ５２で混合した湯水を別経路で切換え弁５５側に供給し、切換え弁５５を介してハンドシャワー４６のハンドシャワー用吐水口５６と洗い場用吐水口４７とに選択的に切換えて供給できるようになっている。
【０００４】
しかしながら前記特許文献１に示されるシャワー装置では、着座してシャワー用吐水口４２からのシャワー浴、ハンドシャワー４６によるシャワー浴、洗い場用吐水口４７から洗面器台４８の湯水の供給に限られていた。
【０００５】
そこで最近は、浴室内に湯水をミスト状に噴出することによって、浴室においてサウナ効果を得ることができるようにしたシャワー装置が開発されている。これは、水を加熱し、ミストノズルより少量の水をミスト状に噴霧することで、浴室内でミストサウナ浴ができるようにしたものであり、人為操作式のスイッチなどによる起動指令に基づいて、シャワーモードからミストモードへの切換えを行なうものである。
【０００６】
ところが、従来ではシャワーモードからミストモードへの切換操作、及び、湯温の切換操作はそれぞれリモコンスイッチ等による手動操作が必要であり、特に着座してのシャワー浴の後でミストサウナ浴に切換える場合のスイッチの切換操作が非常に煩わしく、快適性が損なわれるものであった。また、シャワー浴においては、シャワーノズルから噴出される湯水は粒径が大きいことから、その温熱エネルギーの殆どを人体に与えることが可能であり、早期に温熱効果が得られるのが特徴である。一方、ミストサウナ浴においては、ミストノズルから噴出される湯水は粒径が小さいため、その温熱エネルギーの一部を浴室空間に放出し、周囲の空気を温めながら人体の体表面に対して相対的にゆっくりと温熱効果を与えるのが特徴である。このため従来のようにスイッチ切換でシャワーモードからミストモードに切り換える場合にあっては、シャワー運転時の湯温と同じ温度でミスト運転が行なわれるため、ミストの体感温度がシャワーと比較して低いため、身体にひんやり感を与えてしまい、発汗作用を促すどころか、かえって不快になることがある。そのため、ミスト温度を適切な温度に制御することもミストサウナ浴を快適に実施するためには重要である。
【特許文献１】特開２００１−２０４６４４号公報
【発明の開示】
【発明が解決しようとする課題】
【０００７】
本発明は上記の従来の問題点に鑑みて発明したものであって、シャワーモードからミストモードへの切換えを自動化でき、手動による複雑な切換操作を不要とし、そのうえ異なる２種類の入浴環境を簡便且つ安価につくりだすことができる湯水供給装置を提供することを課題とするものである。
【課題を解決するための手段】
【０００８】
前記課題を解決するために請求項１記載の発明は、湯水が供給される切換え手段１の下流側にそれぞれ吐水口２を有する複数の分岐水路３を接続すると共に、切換え手段１の切換えで複数の分岐水路３のうち任意の分岐水路３に選択的に湯水を流すようにした湯水供給装置において、前記複数の分岐水路３は、複数のシャワー用吐水口２ａを有するシャワー用分岐水路３ａと複数のミスト用吐水口２ｅを有するミスト用分岐水路３ｅとを少なくとも備えており、前記切換え手段１は、最初に湯水をシャワー用分岐水路３ａに供給するシャワーモードとし且つ一定時間経過後に湯水をシャワー用分岐水路３ａからミスト用分岐水路３ｅに自動的に切換えてミストモードにする自動切換機能を有することを特徴としている。
【０００９】
このような構成とすることで、最初のシャワーモードでは複数のシャワー用吐水口２ａから微細水流（シャワー）が人体の体表面を包み込むように噴出するシャワー浴により温熱効果が得られ、引き続いてミストモードでは複数のミスト用吐水口２ｅから微細霧状のミストが人体の体表面を包み込むように噴出するミストサウナ浴によりスチームサウナ的な入浴感が得られ、発汗作用が促進され、入浴後の快適性を高めることができる。しかも切換え手段１にてシャワーモードからミストモードへの切換えを自動化することにより、手動による複雑な切換操作をすることなく、２種類の吐水口２ａ，２ｅから得られる人体への効果特性を十分に発揮できるようになる。そのうえ、切換え手段１の自動切換機能は分岐水路３を自動的に切換えるものであるので、異なる２種類の入浴環境を簡便且つ安価につくりだすことができる。
【００１０】
また、請求項２記載の発明は、請求項１においてシャワーモードからミストモードへの切換えに連動して、湯温をシャワー運転時よりも高い所定温度まで上昇させるための湯温調整手段３４ｇを備えていることを特徴としており、この場合、仮りに湯温をシャワーモードとミストモードとで同じ温度であると、ミストの方が体感温度が低いためひんやり感を与え、不快になることがあるが、本発明のようにミストモードへの切換えに連動して、ミスト温度をシャワー温度よりも所定温度だけ高めることで、シャワー浴に引き続いてひんやり感のない高温ミストが浴びられるようになり、より快適に発汗作用を促進させることができる。
【００１１】
また、請求項３記載の発明は、請求項１においてシャワーモードからミストモードへの切換えに連動して、湯温をシャワー運転時の湯温よりも低い所定温度まで低下させるための湯温調整手段３４ｇを備えていることを特徴としており、この場合、ミストモードへの切換えに連動して、ミスト温度をシャワー温度よりも所定温度だけ低くすることで、シャワー浴でほてった体を低温ミストで冷やしてクールダウンすることができ、入浴後の継続発汗や蒸暑感を抑制して、入浴後の快適性を向上させることができる。しかも、水風呂や冷水シャワーと比較して使用者の心身への負担をなくすことができ、より快適なクールダウンが可能となる。
【００１２】
また、請求項４記載の発明は、請求項１においてシャワーモードからミストモードへの切換えに連動して、最初に湯温をシャワー運転時よりも高い所定温度まで上昇させ且つ一定時間経過後に湯温をシャワー運転時の湯温よりも低い所定温度まで低下させるための湯温調整手段３４ｇを備えていることを特徴としており、この場合、高温ミストと低温ミストとを順に得るに際して手動によるミスト温度の調整操作が不要となる。
【発明の効果】
【００１３】
本発明に係る湯水供給装置は、シャワーモードからミストモードへの切換えを自動化でき、手動による複雑な切換操作が不要となり、しかも異なる２種類の入浴環境を簡便且つ安価につくりだすことができるものである。
【００１４】
また本発明では、シャワー浴後に、ひんやり感のない高温ミストによって快適に発汗作用を促進させることができるものである。
【００１５】
また本発明では、使用者の心身への負担を減らしながら、低温ミストによる快適なクールダウンが可能となる。
【００１６】
また本発明では、高温ミストと低温ミストとを順に得るに際して手動によるミスト温度の調整操作が不要となり、一層の快適感が得られるものである。
【発明を実施するための最良の形態】
【００１７】
以下、本発明を添付図面に示す実施形態に基いて説明する。
【００１８】
図１〜図３は本発明の湯水供給装置４の一実施形態としてシャワー装置の例を示している。このシャワー装置は、浴室の壁７に取付けられるもので、図１に示すように、両側部に合成樹脂により略直方形状に成形されたノズルユニット８が配置してあり、左右のノズルユニット８の前面上部には、人体の主に肩に向かって衝撃的な水流を噴出するマッサージ用吐水口２ｄが配置してあり、前面下部には人体の主に腰部に向かって微細水流（シャワー）を噴出するシャワー用吐水口２ａがそれぞれ配置してある。
【００１９】
左右のノズルユニット８の外側部には上端部を支点として略上下方向に回動自在で且つ任意の角度で保持が可能なように略直方体形状のノズルアーム９がそれぞれ設置してある。左右のノズルアーム９は連結バー（図示せず）で連結することにより一方のノズルアーム９を回動すれば他方のノズルアーム９も同時に連動して回動するような構成となっている。
【００２０】
ノズルアーム９の裏面には微細水流（シャワー）を人体を包み込むように噴出する複数のシャワー用吐水口２ａと、ミスト状の水流を人体全体を包み込むように噴出するミスト用吐水口２ｅとがノズルアーム９のほぼ全長にわたり所定の間隔で交互に配設してある。
【００２１】
ここで、シャワーノズルに設けられるシャワー用吐水口２ａは概ね粒径が１ｍｍ以下の湯水を噴出するものであり、一方、ミストノズルに設けられるミスト用吐水口２ｅは概ね粒径が３００μｍ以下の微細な霧状のミストを噴出するものである。
【００２２】
また、左右のノズルユニット８の間に位置する開放面１２の前面に左右のノズルユニット８の上下端部に枢支し、左右に開閉自在な背もたれカバー１０が設置してある。
【００２３】
図２に示すように左右に開閉自在な背もたれカバー１０を開いた状態にすると、左右のノズルユニット８の間に位置する開放面１２の上部には鏡１３が設置してあり、鏡１３の下端部には下方に向かって吐水する洗い場用吐水口２ｂが設置してある。また、背もたれカバー１０を開いた状態にすると、図２に示すように左右のノズルユニット８、左右のノズルアーム９が背もたれカバー１０で覆われ、この状態では左右のノズルユニット８、左右のノズルアーム９に設けたシャワー用吐水口２ａ、マッサージ用吐水口２ｄ、ミスト用吐水口２ｅからの吐水による本来の使用はしない非使用状態である。このように、カバー１０の開閉によりシャワー用吐水口２ａ、マッサージ用吐水口２ｄ、ミスト用吐水口２ｅの使用が区別できるようになっている。
【００２４】
着座してシャワー浴（つまり微細水流浴）を行うときは開放面１２を閉じることにより鏡１３のほぼ全面と洗い場用吐水口２ｂを背もたれカバー１０で隠蔽することができ、この状態ではノズルユニット８の前面と背もたれカバー１０の前面とがほぼ面一となるように構成してある。
【００２５】
図１において開放面１２の下方にはノズルユニット８の下端とほぼ等しい高さの着座手段１４が設置してある。着座手段１４の上面１４ａはほぼフラットな形状をしていてシャワー浴で使用する場合は使用者が着座手段１４に着座し、通常の入浴作業の時は図２に示すように洗面器１５等の入浴用品を載置するカウンター機能として使用できる。
【００２６】
また、本例の湯水供給装置４であるシャワー装置にはハンドシャワー５が設けてあり、図１に示す実施形態ではハンドシャワー５のフレキシブルなシャワーホース５ａが着座手段１４に設けた所定のハンドシャワー接続口１６に接続してあり、該ハンドシャワー５のヘッドは一方のノズルユニット８の外側方の浴室の壁７に設けた引掛け手段（図示せず）に着脱自在に引掛け係止してある。該ハンドシャワー５のヘッドにはハンドシャワー用吐水口２ｃが設けてある。なお、着座手段１４の側面には、供給する湯水の止水と流量を制御する流量制御手段１７が設置してあり、ハンドル１７ａの操作で吐水停止及び流量を制御できるようになっている。
【００２７】
また、本例では、図３に示すように、湯を供給する給湯管１９と水を供給する給水管２０とが温度制御手段１８に連通接続してあり、更に温度制御手段１８の下流側に配管２１を介して流量制御手段１７を連通接続してあり、流量制御手段１７の下流側に配管２２を介して、複数の分岐水路３（添付図面に示す実施形態ではシャワー用分岐水路３ａ、洗い場用分岐水路３ｂ、ハンドシャワー用分岐水路３ｃ、マッサージ用分岐水路３ｄ、ミスト用分岐水路３ｅ）が連通接続してあり、各分岐水路３の先端にはそれぞれシャワー用吐水口２ａ（図１）、洗い場用吐水口２ｂ（図２）、ハンドシャワー用吐水口２ｃ（図１）、マッサージ用吐水口２ｄ（図１）、ミスト用吐水口２ｅ（図１）という複数種類の吐水口２が設けられている。
【００２８】
さらに上記各分岐水路３ａ〜ｅには、それぞれ、シャワー側電磁弁３３ａ、洗い場用分岐水路３３ｂ、ハンドシャワー側電磁弁３３ｃ、マッサージ側電磁弁３３ｄ、ミスト側電磁弁３３ｅが介在されている。各電磁弁３３ａ〜３３ｅは、切換え手段１からの制御信号によって開閉制御されるようになっている。切換え手段１には、座シャワー用制御回路３４ａ、洗い場吐水口用制御回路３４ｂ、ハンドシャワー用制御回路３４ｃ、マッサージ用制御回路３４ｄ、ミスト用制御回路３４ｅ、シャワーモードからミストモードへ自動切換機能を有する自動切換用制御回路３４ｆ、及び、湯温調整用制御回路３４ｇとが設けられている。湯温調整用制御回路３４ｇは、シャワーモードからミストモードへの切換時に湯温をシャワー時よりも所定温度まで上昇或いは下降させるための湯温調整手段を構成する。
【００２９】
また、浴室の壁７にはリモコン６が引掛け手段（図示せず）に着脱自在に引掛け係止してある。リモコンコード６ａは着座手段１４の背後に設けた接続口（図示せず）を介して切換え手段１に接続してある。図３に示すように、リモコン６には、上記各制御回路３４ａ〜３４ｇにそれぞれ信号を送るためのマッサージスイッチ３５ｄ、ハンドシャワースイッチ３５ｃ、洗い場吐水口スイッチ３５ｂ、座シャワースイッチ３５ａ、ミストスイッチ３５ｅ、自動切換スイッチ３５ｆ、温度調整スイッチ３５ｇ、流量調整スイッチ３５ｈが設けられている。これらスイッチ３５ａ〜３５ｈを操作することで、切換え手段１を介して、前記複数種類の吐水口２（図３の実施形態では、シャワー用吐水口２ａ、洗い場用吐水口２ｂ、ハンドシャワー用吐水口２ｃ、マッサージ用吐水口２ｄ、ミスト用吐水口２ｅ）のうち１箇所を選択して湯水を供給できるようになっている。
【００３０】
しかして、リモコン６の「マッサージスイッチ３５ｄ」、「ハンドシャワースイッチ３５ｃ」、「洗い場吐水口スイッチ３５ｂ」、「座シャワースイッチ３５ａ」、「ミストスイッチ３５ｅ」のいずれか１つを押したときは、マッサージモード、ハンドシャワーモード、洗い場吐水口モード、シャワーモード、ミストモードのいずれかが１つが実行される。このとき温度調整スイッチ３５ｇにて湯温を調整できる。なお温量は流量調整スイッチ３５ｈにて調整できる。
【００３１】
一方、リモコン６の「自動切換スイッチ３５ｆ」を押したときは、自動切換用制御回路３４ｆからの信号により、最初にシャワー側電磁弁３３ａのみが開いて湯水をシャワー用分岐水路３ａに供給するシャワーモードとなり、且つ一定時間経過後に、シャワー側電磁弁３３ａが閉じてミスト側電磁弁３３ｅのみが開いて湯水をミスト用分岐水路３ｅに自動的に切換えてミストモードとなる。具体的には、先ずタイマーが作動すると共に、座シャワー用制御回路３４ａがシャワー側電磁弁３３ａをＯＮし、ノズルユニット８とノズルアーム９のシャワー吐水口２ｂから微細水流が人体の肩、腰、手の先から足の先までを包み込むように噴出するシャワーモードが実行され、その後、一定時間が経過すると、タイマー、切換え手段１により、図４に示すように、シャワー側電磁弁３３ａが閉じ、ミスト側電磁弁３３ｅが開く。このとき、電磁弁３３ａ→３３ｅの切換時間のため若干のインターバルを設けて切換える。切換え後は、ノズルアーム９のミスト用吐水口２ｅからミストが噴出する。このとき、例えばノズルアーム９を回動させてほぼ水平角度にすることで、上方から人体の全表面を包み込むようにしてミストを降らせることができる。
【００３２】
ここで、着座してのシャワー浴においては、シャワーノズルから噴出される湯水は粒径が大きいことから、その温熱エネルギーの殆どを人体に与えることが可能であり、しかも湯水が供給されるノズルアーム９の先端の複数個所に湯水噴出手段となる複数種類のノズルが設けられているため、例えば着座姿勢にて首から下の人体部分に一度にシャワーを浴びることができるようになり、雨が当たっているような感触で全身一度に湯水を浴びることにより早期に温熱効果が得られる。さらに、着座している人体の腰の後ろにもシャワー用ノズルが設けられる場合は、着座姿勢にて背部を効果的に温めることが可能である。
【００３３】
一方、ミストサウナ浴においては、ミスト用吐水口２ｅから噴出される湯水は粒径が小さいため、その温熱エネルギーの一部を浴室空間に放出し、周囲の空気を温めながら人体の体表面に対して相対的にゆっくりと温熱効果を与えることができ、これにより、ミストの温度をシャワー温度よりも高く設定することが可能であり、しかも粒径が小さいことから霧雨に全身が包まれているような感触を生み出し、人体の周囲温度と一緒に温めることから、スチームサウナのような入浴感が得られ、発汗促進作用があると考えられる。
【００３４】
なお、ミストモード実行中に、ミストをもっと熱くしたいとき、或いはもっと冷たくしたいときは、リモコン６の温度調整スイッチ３５ｇ（図３）で調整すればよく、またミスト噴霧量をもっと増やしたいとき、或いはもっと減らしたいときは、リモコン６の流量調整スイッチ３５ｈ（図３）で調整すればよい。
【００３５】
上記のように、切換え手段１の自動切換機能によりシャワーモードからミストモードへの切換えが自動化されるので、最初のシャワーモードでは高い温熱効果が得られ、その後のミストモードではスチームサウナ的な入浴感が得られ、発汗作用が促進され、入浴後の快適性を高めることができる。しかも２種類のノズルから得られる人体への効果特性を、手動による複雑な切換操作をすることなく、十分に発揮することができるものであり、そのうえ、切換え手段１の自動切換機能は複数の分岐水路３を自動的に切換えるものであるから、異なる２種類の入浴環境を簡便且つ安価につくりだすことができる効果もある。
【００３６】
また本例の切換え手段１に設けた湯温調整用制御回路３４ｇは、シャワーモードからミストモードへの切換えに連動して、図４に示すように、自動的に湯温をシャワー運転時の湯温よりも高くして発汗促進用の高温ミストを噴出させる機能も有している。つまり、シャワーモード後に若干のインターバルを設けてミストモードに切換えるときに、図示省略した切換えスイッチ（例えばリミットスイッチ等）がオンになり、その信号が温度制御手段３４ｇに送られ、この段階で湯温調整用制御回路３４ｇは温度検知部３６にて検知したシャワー温度よりも数℃（３〜４℃）高い温度となるように温度制御手段１８を制御する。ちなみに、シャワーモードとミストモードとが同じ湯温であると、ミストの方が体感温度が低いため、ひんやり感を与え、かえって不快になる。そこで、ミストモードへ切換えた時に、ミスト温度をシャワー時の湯温よりも自動的に高くすることで、ひんやり感のない高温ミストを浴びることができ、より快適に発汗作用を促すことができる。
【００３７】
一方、入浴でほてった体を低温ミストで冷やしてクールダウンすることにより、入浴後の快適性を向上させることも有効である。つまり、シャワー浴を浴びたままで出浴するよりも、一旦クールダウンしてから出浴したほうが、入浴後の継続発汗や蒸暑感を抑制できる点で有効である。例えばリモコン６のスイッチ（図示せず）でクールダウンコースが選択されたときには、湯温調整用制御回路３４ｇは、図５に示すように、自動的に湯温をシャワー運転時の湯温（温度検知部３６にて検知された温度）よりも数℃低くする。実験によれば、平静時の体温よりもやや低めの温度、３６℃ぐらいがクールダウンに適切であることがわかった。なお、３０℃ぐらいまで下げた場合は体温より低くなりすぎて、冷たすぎて不快となり、心臓負担も大きくなる。また、シャワー運転後に、ゆっくりとミスト温度を下げていくよりも、すぐに３６℃まで下げた方が好ましい。その理由は、体が既に発汗等でほてっている状態なので、ミスト温度をゆっくり下げるとかえって不快となり、すぐに下げた方が体感上よいことがわかった。また、すぐに下げても３６℃ぐらいまでであるため、負担は体感上感じられないので、問題はない。またクールダウンは夏季に限らず、冬季でも体感上好ましいことが実験からもわかった。ところで、なお、シャワー浴後に、水風呂に入ったり冷水シャワーを浴びて身体を冷やすことも可能であるが、使用者の心身への負担が大きくなる。そのため、本例のように低温ミストを浴びることにより、使用者への心身の負担を少なくしながら、快適なクールダウンができるようになる。
【００３８】
更に、前記湯温調整用制御回路３４ｇは、シャワーモードからミストモードへの切換えに連動して、図６に示すように、自動的に最初に湯温をシャワー運転時の湯温よりも高くして発汗促進用の高温ミストを噴出させ且つ一定時間経過後に湯温をシャワー運転時の湯温よりも低くしてクールダウン用の低温ミストを噴出させるモードを選択できるようにしてもよい。この場合、高温ミストと低温ミストとを順に得るに際して手動によるミスト温度の調整操作が不要となり、手動による煩わしい操作をなくすことができ、一層の快適感が得られるようになる。
【図面の簡単な説明】
【００３９】
【図１】本発明の湯水供給装置の一実施形態であるシャワー装置の着座使用状態の斜視図である。
【図２】同上のシャワー装置の通常使用状態の斜視図である。
【図３】同上の配管ブロック図である。
【図４】同上のシャワーモードからミストモードへの切換えに連動して、湯温をシャワー運転時よりも高い所定温度まで上昇させる場合のタイムチャートである。
【図５】同上のシャワーモードからミストモードへの切換えに連動して、湯温をシャワー運転時の湯温よりも低い所定温度まで低下させる場合のタイムチャートである。
【図６】同上のシャワーモードからミストモードへの切換えに連動して、最初に湯温をシャワー運転時よりも高い所定温度まで上昇させ且つ一定時間経過後に湯温をシャワー運転時の湯温よりも低い所定温度まで低下させる場合のタイムチャートである。
【図７】従来例のシャワー装置の正面図である。
【図８】従来例のシャワー装置の配管ブロック図である。
【符号の説明】
【００４０】
１  切換え手段
２  吐水口
２ａ  シャワー用吐水口
２ｅ  ミスト用吐水口
３  分岐水路
３ａ  シャワー用分岐水路
３ｅ  ミスト用分岐水路
４  湯水供給装置
３４ｇ  湯温調整手段
【図１】
2006346360.tif 000003
【図２】
2006346360.tif 000004
【図３】
2006346360.tif 000005
【図４】
2006346360.tif 000006
【図５】
2006346360.tif 000007
【図６】
2006346360.tif 000008
【図７】
2006346360.tif 000009
【図８】
2006346360.tif 000010